(57)【特許請求の範囲】
【請求項１】
金属筐体と、前記金属筐体の内壁上に取り付けられるプリント基板とを有し、前記プリント基板上には高周波回路部が構成されるとともに前記高周波回路部を覆うシールドケースが取り付けられ、前記シールドケースに、前記シールドケースの下端より上方側に取付脚を設け、前記取付脚を介して前記プリント基板を前記金属筐体に取り付け、前記シールドケースを介して前記プリント基板を前記金属筐体に押し付けるようにしたことを特徴とする高周波電子機器。
【請求項２】
前記取付脚と前記プリント基板とに挿通孔を設け、前記挿通孔に挿入したビスによって前記プリント基板を前記金属筐体に取り付けたことを特徴とする請求項１記載の高周波電子機器。
【発明の詳細な説明】
【０００１】
【発明の属する技術分野】
本発明は、衛星放送受信用ダウンコンバータ等の高周波電子機器に関する。
【０００２】
【従来の技術】
衛星放送受信用ダウンコンバータでは、パラボラアンテナで受信した信号を導波管を介して低雑音増幅器や周波数変換器等の高周波回路部に入力するが、これらの高周波回路部は、導波管と一体に形成された金属筺体の内壁に固定されたプリント基板上に構成されている。
【０００３】
図４は従来の高周波電子機器の斜視図であり、テフロン樹脂を基材としたプリント基板１１の上面には低雑音増幅器や周波数変換器等の高周波回路部（いずれも図示せず）が構成されている。また、プリント基板１１の下面全体には接地導体１１ａ（図５参照）が設けられている。これらの高周波回路部は金属製のシールドケース１２によって覆われる。プリント基板１１上にはシールドケース１２の下端外周に沿って適宜に接地導体１１ｂが設けられており、シールドケース１２はこの接地導体１１ｂに半田付けされる。
【０００４】
このプリント基板１１は金属筺体１３の内壁、例えば底壁１３ａ上に載置され、ビス１４によって金属筺体１３にビス止めされることによって、プリント基板１１の下面に設けた接地導体１１ａを金属筺体１３に面接触させている。ビス止め用の孔（図示せず）はシールドケース１２の外側で、プリント基板１１の外周近傍に設けられている。そしてビス止めの際に、プリント基板１１がテフロン樹脂を基材としているため比較的柔らかいので、ビス止め部分の変形を避けるため、図５に示すようにワッシャ１５が使用される。
【０００５】
【発明が解決しようとする課題】
上記の構成においては、プリント基板１１の外周近傍のビス止め部分ではプリント基板１１と金属筺体１３とが強固に密着するが、プリント基板の中央部分、即ち、シールドケース１２が載置されている領域ではプリント基板１１と金属筺体１３との密着性が悪く、プリント基板１１と金属筺体１３との間に隙間Ｇが生じ（図５参照）、これが高周波回路部の電気的性能を悪化させる原因となっていた。
また、ビス止めの際にワッシャ１５を使用するので、プリント基板１１を金属筺体１３に取り付けるための作業性も低下していた。
【０００６】
そこで、本発明では、高周波回路部が構成されたプリント基板を金属筺体上に取り付ける際に、プリント基板の下面全体、特に高周波回路部が構成された領域の下面と金属筺体との密着が強固になる高周波電子機器を提供することを目的とする。
【０００７】
【課題を解決するための手段】
上記課題を解決するための手段として、本発明の高周波機器は、金属筐体と、前記金属筐体の内壁上に取り付けられるプリント基板とを有し、前記プリント基板上には高周波回路部が構成されるとともに前記高周波回路部を覆うシールドケースが取り付けられ、前記シールドケースに、前記シールドケースの下端より上方側に取付脚を設け、前記取付脚を介して前記プリント基板を前記金属筐体に取り付け、前記シールドケースを介して前記プリント基板を前記金属筐体に押し付けるようにした。
【０００８】
また、本発明の高周波機器は、前記取付脚と前記プリント基板とに挿通孔を設け、前記挿通孔に挿入したビスによって前記プリント基板を前記金属筐体に取り付けた。
【００１０】
【発明の実施の形態】
本発明の高周波電子機器を図１乃至図３に従って説明する。図１は本発明の高周波電子機器の斜視図であり、図２は本発明の高周波電子機器におけるプリント基板を金属筺体に取り付ける前の要部断面図であり、図３は本発明の高周波電子機器におけるプリント基板を金属筺体に取り付けた状態の要部断面図である。
【００１１】
先ず、プリント基板１の上面には低雑音増幅器や周波数変換器等の高周波回路部２が構成されている。プリント基板１の基材には高周波特性に優れたテフロン樹脂が用いられる。また、プリント基板１の下面全体には接地導体１ａ（図２、３参照）が設けられている。そして、高周波回路部２は金属製のシールドケース３によって覆われる。シールドケース３は四角状に形成され、側壁３ａの下端から折り曲げられて形成された複数の取付脚３ｂが設けられている。この取付脚３ｂは側壁３ａの下端（プリント基板１の上面）よりもＸだけ上方側に設けられている。
【００１２】
そして、高周波回路部２が構成され、シールドケース３が取り付けられたプリント基板１は金属筺体４の内壁、例えば底壁４ａ上に載置されるが、載置された状態では、図２に示すように、取付脚３ｂとプリント基板１との間に隙間Ｘが生じるようになっている。
【００１３】
また、プリント基板１上にはシールドケース３の側壁３ａの下端に沿って適宜に接地導体１ｂが設けられており、シールドケース３はこの接地導体１ｂに半田付けされる。
【００１４】
取付脚３ｂとプリント基板１には、ビス５が挿通されるビス挿通孔３ｃ、１ｃが穿設されており、さらに、金属筺体４にもビス止め用のネジ孔４ｂが形成されている。
そして、ビス５が取付脚３ｂに形成したビス挿通孔３ｃとプリント基板１に形成したビス挿通孔１ｃとを挿通し、金属筺体４のネジ孔４ｂにビス止めされる。
【００１５】
すると、取付脚３ｂとプリント基板１との間に隙間Ｘがあるので、図３に示すように、取付脚３ｂは傾斜した状態となり、ビス５を締め付けることによってシールドケース３全体がプリント基板１側に付勢されてプリント基板１を押しつける。このことによって、シールドケース３が取り付けられた領域のプリント基板１の下面も金属筺体４側に押しつけられる。
従って、プリント基板１の下面の接地導体１ａ全体が金属筺体４に密着し、高周波回路部２の電気的特性が安定したものとなる。
さらに、取付脚３ｂがワッシャの役目を果たすことになり、ワッシャが不要となる。
【００１６】
【発明の効果】
以上のように、本発明の高周波電子機器は、金属筺体と、金属筺体の内壁上に取り付けられるプリント基板とを有し、プリント基板上に取り付けたシールドケースに取付脚を設け、取付脚を介してプリント基板を金属筺体に取り付け、シールドケースを介してプリント基板を金属筺体に押しつけるようにしたので、シールドケース全体がプリント基板側に付勢されてプリント基板を押しつける。このことによって、シールドケースが取り付けられた領域のプリント基板の下面も金属筺体側に押しつけられる。
従って、プリント基板の下面の接地導体全体が金属筺体に密着し、高周波回路部の電気的特性が安定したものとなる。
【００１７】
また、本発明の高周波電子機器は、取付脚はシールドケースの下端より上方側に設けたので、取付脚によってプリントプリント基板を金属筺体に取り付けるだけでプリント基板を容易に金属筺体側に付勢出来る。
【００１８】
また、本発明の高周波電子機器は、取付脚とプリント基板とに挿通孔を設け、挿通孔に挿入したビスによってプリント基板を金属筺体に取り付けたので、ビスの締め付けでシールドケース全体がプリント基板側に付勢される。
また、取付脚がワッシャの役目を果たすのでワッシャが不要となる。
【図面の簡単な説明】
【図１】本発明の高周波電子機器の斜視図である。
【図２】本発明の高周波電子機器におけるプリント基板を金属筺体に取り付ける前の要部断面図である。
【図３】本発明の高周波電子機器におけるプリント基板を金属筺体に取り付けた状態の要部断面図である。
【図４】従来の高周波電子機器の斜視図である。
【図５】従来の高周波電子機器におけるプリント基板を金属筺体に取り付けた状態の要部断面図である。
【符号の説明】
１  プリント基板
１ａ、１ｂ  接地導体
１ｃ  ビス挿通孔
２  高周波回路部
３  シールドケース
３ａ  側壁
３ｂ  取付脚
３ｃ  ビス挿通孔
４  金属筺体
４ａ  底壁
４ｂ  ネジ孔
５  ビス
【図１】
0003756006.tif 000002
【図２】
0003756006.tif 000003
【図３】
0003756006.tif 000004
【図４】
0003756006.tif 000005
【図５】
0003756006.tif 000006